【手続補正書】
【提出日】平成21年9月29日(2009.9.29)
【手続補正１】
【補正対象書類名】明細書
【補正対象項目名】発明の名称
【補正方法】変更
【補正の内容】
【発明の名称】半導体装置、シフトレジスタ、表示装置
【手続補正２】
【補正対象書類名】特許請求の範囲
【補正対象項目名】全文
【補正方法】変更
【補正の内容】
【特許請求の範囲】
【請求項１】
第１のトランジスタと、第２のトランジスタと、第３のトランジスタと、第４のトランジスタとを有し、
前記第１のトランジスタは、ソースとドレインのうち一方が第１の配線に電気的に接続され、ソースとドレインのうち他方が前記第２のトランジスタのゲート電極と前記第３のトランジスタのソースとドレインのうち他方に電気的に接続され、ゲート電極が第５の配線に電気的に接続され、
前記第２のトランジスタは、ソースとドレインのうち一方が第３の配線に電気的に接続され、ソースとドレインのうち他方が第６の配線に電気的に接続され、
前記第３のトランジスタは、ソースとドレインのうち一方が第２の配線に電気的に接続され、前記ソースとドレインのうち他方が前記第２のトランジスタのゲート電極に電気的に接続され、ゲート電極が第４の配線に電気的に接続され、
前記第４のトランジスタは、ソースとドレインのうち一方が前記第２の配線に電気的に接続され、ソースとドレインのうち他方が前記第６の配線に電気的に接続され、ゲート電極が前記第４の配線に電気的に接続されていることを特徴とする半導体装置。
【請求項２】
第１のトランジスタと、第２のトランジスタと、第３のトランジスタと、第４のトランジスタとを有し、
前記第１のトランジスタは、ソースとドレインのうち一方が第５の配線に電気的に接続され、ソースとドレインのうち他方が前記第２のトランジスタのゲート電極と前記第３のトランジスタのソースとドレインのうち他方に電気的に接続され、ゲート電極が前記第５の配線に電気的に接続され、
前記第２のトランジスタは、ソースとドレインのうち一方が第３の配線に電気的に接続され、ソースとドレインのうち他方が第６の配線に電気的に接続され、
前記第３のトランジスタは、ソースとドレインのうち一方が第２の配線に電気的に接続され、前記ソースとドレインのうち他方が前記第２のトランジスタのゲート電極に電気的に接続され、ゲート電極が第４の配線に電気的に接続され、
前記第４のトランジスタは、ソースとドレインのうち一方が前記第２の配線に電気的に接続され、ソースとドレインのうち他方が前記第６の配線に電気的に接続され、ゲート電極が前記第４の配線に電気的に接続されていることを特徴とする半導体装置。
【請求項３】
請求項１において、
前記第１の配線には正電源（ＶＤＤ）が与えられ、
前記第２の配線には第２のクロック信号（ＣＫ２）が供給され、
前記第３の配線には第１のクロック信号（ＣＫ１）が供給され、
前記第４の配線には負電源（ＶＳＳ）が与えられ、
前記第５の配線にはスタートパルス（ＳＳＰ）が供給され、
前記第６の配線は出力端子（ＯＵＴ）に電気的に接続されていることを特徴とする半導体装置。
【請求項４】
請求項２において、
前記第２の配線には第２のクロック信号（ＣＫ２）が供給され、
前記第３の配線には第１のクロック信号（ＣＫ１）が供給され、
前記第４の配線には負電源（ＶＳＳ）が与えられ、
前記第５の配線にはスタートパルス（ＳＳＰ）が供給され、
前記第６の配線は出力端子（ＯＵＴ）に電気的に接続されていることを特徴とする半導体装置。
【請求項５】
請求項１乃至請求項４のいずれか一項において、
前記第１のトランジスタと、前記第２のトランジスタと、前記第３のトランジスタと、前記第４のトランジスタとは、Ｎチャネル型トランジスタであることを特徴とする半導体装置。
【請求項６】
請求項１乃至請求項４のいずれか一項において、
前記第１のトランジスタの半導体層と、前記第２のトランジスタの半導体層と、前記第３のトランジスタの半導体層と、前記第４のトランジスタの半導体層とは、アモルファスシリコンであることを特徴とする半導体装置。
【請求項７】
第１のトランジスタと、第２のトランジスタと、第３のトランジスタと、第４のトランジスタと、第５のトランジスタとを有し、
前記第１のトランジスタは、ソースとドレインのうち一方が第１の配線に電気的に接続され、ソースとドレインのうち他方が前記第２のトランジスタのゲート電極と前記第３のトランジスタのソースとドレインのうち他方に電気的に接続され、ゲート電極が第５の配線に電気的に接続され、
前記第２のトランジスタは、ソースとドレインのうち一方が第３の配線に電気的に接続され、ソースとドレインのうち他方が第６の配線に電気的に接続され、
前記第３のトランジスタは、ソースとドレインのうち一方が第２の配線に電気的に接続され、前記ソースとドレインのうち他方が前記第２のトランジスタのゲート電極に電気的に接続され、ゲート電極が第４の配線に電気的に接続され、
前記第４のトランジスタは、ソースとドレインのうち一方が前記第２の配線に電気的に接続され、ソースとドレインのうち他方が前記第６の配線に電気的に接続され、ゲート電極が前記第４の配線に電気的に接続され、
前記第５のトランジスタは、ソースとドレインのうち一方が前記第２の配線に電気的に接続され、ソースとドレインのうち他方が前記第６の配線に電気的に接続され、ゲート電極が第７の配線に電気的に接続されていることを特徴とする半導体装置。
【請求項８】
第１のトランジスタと、第２のトランジスタと、第３のトランジスタと、第４のトランジスタと、第５のトランジスタとを有し、
前記第１のトランジスタは、ソースとドレインのうち一方が第５の配線に電気的に接続され、ソースとドレインのうち他方が前記第２のトランジスタのゲート電極と前記第３のトランジスタのソースとドレインのうち他方に電気的に接続され、ゲート電極が前記第５の配線に電気的に接続され、
前記第２のトランジスタは、ソースとドレインのうち一方が第３の配線に電気的に接続され、ソースとドレインのうち他方が第６の配線に電気的に接続され、
前記第３のトランジスタは、ソースとドレインのうち一方が第２の配線に電気的に接続され、前記ソースとドレインのうち他方が第２のトランジスタのゲート電極に電気的に接続され、ゲート電極が第４の配線に電気的に接続され、
前記第４のトランジスタは、ソースとドレインのうち一方が前記第２の配線に電気的に接続され、ソースとドレインのうち他方が前記第６の配線に電気的に接続され、ゲート電極が前記第４の配線に電気的に接続され、
前記第５のトランジスタは、ソースとドレインのうち一方が前記第２の配線に電気的に接続され、ソースとドレインのうち他方が前記第６の配線に電気的に接続され、ゲート電極が第７の配線に電気的に接続されていることを特徴とする半導体装置。
【請求項９】
請求項７において、
前記第１の配線には正電源（ＶＤＤ）が与えられ、
前記第２の配線には第２のクロック信号（ＣＫ２）が供給され、
前記第３の配線には第１のクロック信号（ＣＫ１）が供給され、
前記第４の配線には負電源（ＶＳＳ）が与えられ、
前記第５の配線にはスタートパルス（ＳＳＰ）が供給され、
前記第６の配線は出力端子（ＯＵＴ）に電気的に接続されていおり、
前記第７の配線には第３のクロック信号（ＣＫ３）が供給されることを特徴とする半導体装置。
【請求項１０】
請求項８において、
前記第２の配線には第２のクロック信号（ＣＫ２）が供給され、
前記第３の配線には第１のクロック信号（ＣＫ１）が供給され、
前記第４の配線には負電源（ＶＳＳ）が与えられ、
前記第５の配線にはスタートパルス（ＳＳＰ）が供給され、
前記第６の配線は出力端子（ＯＵＴ）に電気的に接続されていおり、
前記第７の配線には第３のクロック信号（ＣＫ３）が供給されることを特徴とする半導体装置。
【請求項１１】
請求項７乃至１０のいずれか一項において、
前記第１のトランジスタと、前記第２のトランジスタと、前記第３のトランジスタと、前記第４のトランジスタと、前記第５のトランジスタは、Ｎチャネル型トランジスタであることを特徴とする半導体装置。
【請求項１２】
請求項７乃至１１のいずれか一項において、
前記第１のトランジスタの半導体層と、前記第２のトランジスタの半導体層と、前記第３のトランジスタの半導体層と、前記第４のトランジスタの半導体層と、前記第５のトランジスタの半導体層は、アモルファスシリコンであることを特徴とする半導体装置。
【請求項１３】
請求項１乃至請求項１２のいずれか一項において、
前記第２のトランジスタのソースとドレインのうち他方と、前記第２のトランジスタのゲート電極との間に、容量素子が配置されていることを特徴とする半導体装置。
【請求項１４】
請求項１乃至請求項１３のいずれか一項に記載の半導体装置を有するシフトレジスタ。
【請求項１５】
請求項１４に記載のシフトレジスタと、マトリクス状に配置された複数の画素とを有し、前記複数の画素は、前記シフトレジスタによって駆動されることを特徴とする表示装置。
【請求項１６】
請求項１４に記載のシフトレジスタと同じ構成を有する第１のシフトレジスタ及び第２のシフトレジスタと、マトリクス状に配置された複数の画素を有し、前記複数の画素は、前記第１のシフトレジスタ及び前記第２のシフトレジスタによって走査され、前記第１のシフトレジスタが前記複数の画素を走査するタイミングと、前記第２のシフトレジスタが前記複数の画素を選択するタイミングとは、同じであることを特徴とする表示装置。